(57)【要約】【課題】  本発明の目的は、メディア全般に対して滲みが少なく優れた画質の記録画像を形成することのできるインクジェット用インクセットを提供することにある。【解決手段】  本発明は、少なくとも顔料及びアルキレングリコール化合物を含む非水系インクと、少なくとも水を含む凝集促進液と、からなるインクジェット非水系インクセットを提供する。また、本発明は、前記非水系インクセットを少なくとも含むインクカートリッジ、該インクカートリッジを少なくとも備えた記録装置、前記非水系インクセットを少なくとも用いて記録する記録装置、及び該記録装置により記録された記録物をそれぞれ提供する。【選択図】  なし【特許請求の範囲】
【請求項１】
少なくとも顔料及びアルキレングリコール化合物を含む非水系インクと、少なくとも水を含む凝集促進液と、からなるインクジェット非水系インクセット。
【請求項２】
前記非水系インク中の前記アルキレングリコール化合物が、ジエチレングリコール化合物及びジプロピレングリコール化合物のうち少なくとも１つを含む、請求項１記載の非水系インクセット。
【請求項３】
前記ジエチレングリコール化合物が、ジエチレングリコールジエチルエーテルである、請求項２記載の非水系インクセット。
【請求項４】
前記ジプロピレングリコール化合物が、ジプロピレングリコールモノメチルエーテルである、請求項２記載の非水系インクセット。
【請求項５】
前記アルキレングリコール化合物が、更にオキシアルキレン基の付加モル数が３以上のポリアルキレングリコール化合物を含む、請求項２〜４の何れかに記載の非水系インクセット。
【請求項６】
前記ポリアルキレングリコール化合物が、トリエチレングリコールモノエーテル化合物である、請求項５記載の非水系インクセット。
【請求項７】
前記凝集促進液が、更に多価アルコールを含む、請求項１〜６の何れかに記載の非水系インクセット。
【請求項８】
前記凝集促進液が、更に界面活性剤を含む、請求項１〜７の何れかに記載の非水系インクセット。
【請求項９】
請求項１〜８の何れかに記載の非水系インクセットを少なくとも含むインクカートリッジ。
【請求項１０】
請求項９記載のインクカートリッジを少なくとも備えた記録装置。
【請求項１１】
請求項１〜８の何れかに記載の非水系インクセットを少なくとも用いて記録する記録装置。
【請求項１２】
請求項１１記載の記録装置により記録された記録物。
【発明の詳細な説明】
【技術分野】
【０００１】
本発明は、メディア（記録媒体）上で非水系顔料インクと凝集促進液とが合わされることにより、メディア全般に対して（吸収メディアに限らず非吸収メディアにも）滲みの少ない印字物等の記録画像を形成することのできるインクジェット非水系インクセット、並びにこれを用いたインクカートリッジ、記録装置及び記録物に関する。
【背景技術】
【０００２】
従来から、メディア上にインクジェット法等により画像を記録した際の記録物の滲みを改善する技術が種々開発されている。
【０００３】
特開２００４−９４０６号公報には、滲みや光学濃度等の改善を目的として、顔料、水溶性溶媒及び水を含み且つ特定の物性を備えたインクと、該インク中の顔料を凝集させる作用を有する液体組成物と、を含んで構成されるインクジェット記録用インクセットが開示されている（特許公報１）。
【０００４】
また、特開２００４−１０８３３号公報には、同様に滲みや光学濃度等の改善を目的として、顔料等の色材、水溶性溶媒及び水を含み且つ特定の物性を備えたインクと、該インクを凝集させる作用を有し且つ特定の物性を備えた液体組成物と、を含んで構成されるインクジェット記録用インクセットが開示されている（特許公報２）。
【０００５】
しかし、何れも水を含む水系インクと液体組成物とを用いたこれらの水系インクセットでは、記録画像の滲み改善効果が不十分で画質が低下したり、記録するメディアの種類によって滲みの発生の有無が生じることもあるといった問題がある。
【０００６】
ところで、インクジェット記録方式には主溶媒として水を用いる水性インクと、主溶媒として有機溶媒を用いる油性インク（非水系インク）とが一般に用いられている。水性インクを用いた印刷画像は、一般的に耐水性に劣り、耐水表面を有するメディアへの印刷が困難であるのに対し、油性インクは耐水性に優れた印刷画像を提供することができると共に、耐水性表面を有するメディアへの印刷も容易になるなどの利点を有する。更に、色材に顔料を用いる油性インクは、耐光性にも優れている。しかし、油性インクでは、吸収性のメディアに印刷した場合には、良好な画質が得られないという問題がある。
【特許文献１】特開２００４−９４０６号公報
【特許文献２】特開２００４−１０８３３号公報
【発明の開示】
【発明が解決しようとする課題】
【０００７】
本発明が解決しようとする問題点は、前述した従来技術における問題点である。
従って、本発明の目的は、メディア全般に対して滲みが少なく優れた画質の記録画像を形成することのできるインクジェット用インクセットを提供することにある。
【０００８】
また、本発明の他の目的は、かかる優れたインクセットを用いたインクカートリッジ、記録装置及び記録物を提供することにある。
【課題を解決するための手段】
【０００９】
本発明者は、記録画像の滲み改善を図るべく、鋭意研究した結果、油性インク等の水を含まない特定の非水系インクと、特定の凝集促進液とからなるインクセットが、前記目的を達成し得ることの知見を得た。
【００１０】
本発明は、前記知見に基づきなされたもので、下記１．に示す非水系インクセットを提供するものである。 
１．少なくとも顔料及びアルキレングリコール化合物を含む非水系インクと、少なくとも水を含む凝集促進液と、からなるインクジェット非水系インクセット。
【００１１】
また、本発明は、下記２．〜１２．に示す発明をそれぞれ提供するものである。
２．前記非水系インク中の前記アルキレングリコール化合物が、ジエチレングリコール化合物及びジプロピレングリコール化合物のうち少なくとも１つを含む、前記１記載の非水系インクセット。  
【００１２】
３．前記ジエチレングリコール化合物が、ジエチレングリコールジエチルエーテルである、前記２記載の非水系インクセット。
【００１３】
４．前記ジプロピレングリコール化合物が、ジプロピレングリコールモノメチルエーテルである、前記２記載の非水系インクセット。
【００１４】
５．前記アルキレングリコール化合物が、更にオキシアルキレン基の付加モル数が３以上のポリアルキレングリコール化合物を含む、前記２〜４の何れかに記載の非水系インクセット。
【００１５】
６．前記ポリアルキレングリコール化合物が、トリエチレングリコールモノエーテル化合物である、前記５記載の非水系インクセット。  
【００１６】
７．前記凝集促進液が、更に多価アルコールを含む、前記１〜６の何れかに記載の非水系インクセット。  
【００１７】
８．前記凝集促進液が、更に界面活性剤を含む、前記１〜７の何れかに記載の非水系インクセット。  
【００１８】
９．前記１〜８の何れかに記載の非水系インクセットを少なくとも含むインクカートリッジ。  
【００１９】
１０．前記９記載のインクカートリッジを少なくとも備えた記録装置。  
【００２０】
１１．前記１〜８の何れかに記載の非水系インクセットを少なくとも用いて記録する記録装置。  
【００２１】
１２．前記１１記載の記録装置により記録された記録物。
【発明の効果】
【００２２】
本発明によれば、メディア全般に対して滲みが少なく優れた画質の記録画像を形成することのできるインクジェット非水系インクセット、該インクセットを用いたインクカートリッジ、メディア全般に対して滲みが少なく優れた画質の記録画像を形成することのできる記録装置、及び滲みが少なく優れた画質を備えた記録物が提供される。
【発明を実施するための最良の形態】
【００２３】
以下、本発明について、その好ましい実施形態に基づき詳細に説明する。
本発明の非水系インクセットは、既述の通り、少なくとも顔料及びアルキレングリコール化合物を含む非水系インクと、少なくとも水を含む凝集促進液と、からなることを特徴とする。
【００２４】
本発明は、上記の構成からなるため、メディア全般に対して滲みが少なく、優れた画質の記録画像を形成することができる。
【００２５】
本発明の非水系インクセットにおける非水系インクに使用される顔料としては、従来の油性インク等の水を使用しない非水系のインクに通常用いられている顔料を用いることができる。
【００２６】
そのような顔料としては、無機顔料又は有機顔料を使用することができる。例えば、カーボンブラック、カドミウムレッド、モリブデンレッド、クロムイエロー、カドミウムイエロー、チタンイエロー、酸化クロム、ピリジアン、チタンコバルトグリーン、ウルトラマリンブルー、プルシアンブルー、コバルトブルー、ジケトピロロピロール、アンスラキノン、ベンズイミダゾロン、アンスラピリミジン、アゾ系顔料、フタロシアニン系顔料、キナクリドン系顔料、イソインドリノン系顔料、ジオキサジン系顔料、スレン系顔料、ペリレン系顔料、ペリノン系顔料、チオインジゴ系顔料、キノフタロン系顔料、又は金属錯体顔料等を用いることができる。これらの顔料を単独で用いるか、あるいはそれらの２種又はそれ以上の組み合わせで使用することもできる。
【００２７】
顔料の具体例としては、非水系インクの種類（色）に応じて適宜挙げられる。
例えば、イエローインク用の顔料としては、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種又は２種以上が用いられる。これらのうち、特にＣ．Ｉ．ピグメントイエロー７４，１１０，１２８，１４７及び１５０からなる群から選ばれる１種又は２種以上を用いることが好ましい。
【００２８】
また、マゼンタインク用の顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９等が挙げられ、これらの１種又は２種以上が用いられる。これらのうち、特にＣ．Ｉ．ピグメントレッド１２２，２０２，２０９及びＣ．Ｉ．ピグメントバイオレット１９からなる群から選ばれる１種又は２種以上を用いることが好ましい。
【００２９】
また、シアンインク用の顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの１種又は２種以上が用いられる。これらのうち、特にＣ．Ｉ．ピグメントブルー１５：３及び／又は１５：４を用いることが好ましい。
【００３０】
また、ブラックインク用の顔料としては、例えば、カーボンブラック、アニリンブラック（Ｃ．Ｉ．ピグメントブラック１）等の有機顔料等を用いることができ、特にカーボンブラックを用いることが好ましい。カーボンブラックとしては、例えば、ファーネスブラック、ランプブラック、アセチレンブラック、チャンネルブラック等のＣ．Ｉ．ピグメントブラック７類のものが挙げられる。
【００３１】
顔料は、その形状や大きさに特に限定されるものではないが、好ましくは平均粒径が５０〜５００ｎｍの粒子状のものである。
【００３２】
顔料の含有量は、用途や印刷特性によって適宜選択することができるが、非水系インク全体の重量に対して好ましくは０．５〜２５重量％、より好ましくは０．５〜１５重量％、最も好ましく１〜１０重量％である。
【００３３】
また、非水系インクに使用されるアルキレングリコール化合物は、有機溶媒として用いられるもので、その種類に特に制限されるものではないが、分散安定性、吐出安定性が得られ易い点で、特にジエチレングリコール化合物及びジプロピレングリコール化合物のうち少なくとも１つであることが好ましい。
【００３４】
前記のジエチレングリコール化合物としては、例えば、一般式（Ｉ）；
Ｒ11−Ｏ−Ｃ2Ｈ4−Ｏ−Ｃ2Ｈ4−Ｏ−Ｒ12          （Ｉ）
（式中、Ｒ11及びＲ12は、それぞれ独立して、水素原子、炭素数１〜４のアルキル基、又はＲ13ＣＯ基であり、Ｒ13は炭素数１〜４のアルキル基である。）
で表されるジエチレングリコール化合物を用いることができる。
【００３５】
本明細書において「炭素数１〜４のアルキル基」は、直鎖状又は分枝状のアルキル基であることができ、例えば、メチル基、エチル基、ｎ−プロピル基、ｉｓｏ−プロピル基、ｎ−ブチル基、ｉｓｏ−ブチル基、ｓｅｃ−ブチル基、又はｔｅｒｔ−ブチル基であることができる。
【００３６】
好ましいジエチレングリコール化合物としては、例えば、ジエチレングリコール；ジエチレングリコールエーテル（特に、アルキルエーテル）、例えば、ジエチレングリコールモノメチルエーテル、ジエチレングリコールジメチルエーテル、ジエチレングリコールメチルエチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル；又は、ジエチレングリコールエステル、例えば、ジエチレングリコールモノエチルエーテルアセテート、ジエチレングリコールモノｎ−ブチルエーテルアセテート、若しくはジエチレングリコールモノアセテートを挙げることができる。
【００３７】
これらの中では、ジエチレングリコール、ジエチレングリコールモノメチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル、ジエチレングリコールモノエチルエーテルアセテート、若しくはジエチレングリコールモノブチルエーテルアセテートが好ましい。
【００３８】
本発明においては、特に、分散安定性、吐出安定性を向上させる点で、ジエチレングリコール化合物が、ジエチレングリコールジエチルエーテルであることが好ましい。
【００３９】
前記のジプロピレングリコール化合物としては、例えば、一般式（II）；
Ｒ21−Ｏ−Ｃ3Ｈ6−Ｏ−Ｃ3Ｈ6−Ｏ−Ｒ22          （II）
（式中、Ｒ21及びＲ22は、それぞれ独立して、水素原子、炭素数１〜４のアルキル基、又はＲ23ＣＯ基であり、Ｒ23は炭素数１〜４のアルキル基である。）
で表されるジプロピレングリコール化合物を用いることができる。
【００４０】
好ましいジプロピレングリコール化合物としては、例えば、ジプロピレングリコール；又はジプロピレングリコールエーテル（特に、アルキルエーテル）、例えば、ジプロピレングリコールモノメチルエーテル、若しくはジプロピレングリコールモノエチルエーテルを挙げることができる。
【００４１】
本発明においては、特に、分散安定性、吐出安定性を向上させる点で、ジプロピレングリコール化合物が、ジプロピレングリコールモノメチルエーテルであることが好ましい。
【００４２】
また、本発明においては、アルキレングリコール化合物として、前記ジエチレングリコール化合物と前記ジプロピレングリコール化合物との混合物を用いることが好ましい。該混合物を用いる場合には、前記ジエチレングリコール化合物と前記ジプロピレングリコール化合物との混合比（重量比）は、好ましくは２０：８０〜８０：２０の範囲であり、更に好ましくは３０：７０〜７０：３０の範囲である。混合比が、２０：８０〜８０：２０の範囲内にあると、印字安定性及び保存安定性が向上する。
【００４３】
また、アルキレングリコール化合物としては、前述したジエチレングリコール化合物及びジプロピレングリコール化合物のうち少なくとも１つ（好ましくはこれらの混合物）と共に、更にオキシアルキレン基の付加モル数が３以上のポリアルキレングリコール化合物を含むことが、乾燥目詰まり防止、吐出安定性確保の点で好ましい。
【００４４】
前記のポリアルキレングリコール化合物としては、例えば、一般式（III）：
Ｒ31−Ｏ−（Ｃ2Ｈ4−Ｏ）ｎ−Ｈ          （III）
〔式中、Ｒ31は、炭素数１〜６のアルキル基（好ましくは、炭素数１〜４のアルキル基）であり、ｎは、３〜６の整数である。〕
で表されるポリエチレングリコールモノエーテル化合物等が挙げられる。
【００４５】
本明細書において「炭素数１〜６のアルキル基」は、直鎖状又は分枝状のアルキル基であることができ、例えば、前記の「炭素数１〜４のアルキル基」に加えて、直鎖状又は分枝状のペンチル基、又は直鎖状又は分枝状のヘキシル基であることができる。
【００４６】
好ましい前記ポリアルキレングリコール化合物としては、例えば、トリエチレングリコールモノエーテル化合物（例えば、トリエチレングリコールモノメチルエーテル、又はトリエチレングリコールモノブチルエーテル）等のポリエチレングリコールモノエーテル化合物、あるいは、前記一般式（III）においてｎが４〜６であるポリエチレングリコールモノエーテル化合物（特に、ポリエチレングリコールモノメチルエーテル）の混合物、例えば、テトラエチレングリコールモノメチルエーテルと、ペンタエチレングリコールモノメチルエーテルと、ヘキサエチレングリコールモノメチルエーテルとの混合物を挙げることができる。
【００４７】
本発明においては、特に、乾燥目詰まり防止、吐出安定性を向上させる点で、前記のポリアルキレングリコール化合物が、トリエチレングリコールモノエーテル化合物であることが好ましい。
【００４８】
アルキレングリコール化合物（全体）の含有量は、印刷特性によって適宜選択することができるが、非水系インク全体の重量に対して好ましくは５０〜９９重量％、より好ましくは８５〜９５重量％である。
【００４９】
特に、アルキレングリコール化合物として、前記ジエチレングリコール化合物及び前記ジプロピレングリコール化合物に加えて、前記ポリアルキレングリコール化合物を含む場合には、それらの含有量は、前記ジエチレングリコール化合物３０〜５０重量部及び前記ジプロピレングリコール化合物３０〜５０重量部に対して、前記ポリアルキレングリコール化合物１０〜３０重量部の比率であることが好ましい。これらの含有量の比率がこのような範囲にあると、吐出安定性を更に向上できる点で好ましい。
【００５０】
非水系インクにおいては、有機溶媒として、前記アルキレングリコール化合物の他に、その他の有機溶媒を含有することができる。
【００５１】
非水系インクに用いることのできる、その他の有機溶媒としては、好ましくは極性有機溶媒、例えば、アルコール類（例えば、メチルアルコール、エチルアルコール、プロピルアルコール、ブチルアルコール、又はフッ化アルコール等）、ケトン類（例えば、アセトン、メチルエチルケトン、又はシクロヘキサノン等）、カルボン酸エステル類（例えば、酢酸メチル、酢酸エチル、酢酸プロピル、酢酸ブチル、プロピオン酸メチル、又はプロピオン酸エチル等）、又はエーテル類（例えば、ジエチルエーテル、ジプロピルエーテル、テトラヒドロフラン、又はジオキサン等）等を用いることができる。
【００５２】
有機溶媒については、アルキレングリコール化合物が、前記ジエチレングリコール化合物及び前記ジプロピレングリコール化合物を含み、前記ポリアルキレングリコール化合物を含まない場合には、前記ジエチレングリコール化合物と前記ジプロピレングリコール化合物が合計量で、非水系インク中の全有機溶媒成分の７５重量％以上を占めることが好ましい。
【００５３】
また、有機溶媒としてのアルキレングリコール化合物が、前記ジエチレングリコール化合物及び前記ジプロピレングリコール化合物に加えて、前記ポリアルキレングリコール化合物を含む場合には、前記ジエチレングリコール化合物と前記ジプロピレングリコール化合物と前記ポリアルキレングリコール化合物の混合物が、非水系インク中の全有機溶媒成分の８０重量％以上を占めることが好ましい。
【００５４】
非水系インクは、前記の顔料及び有機溶媒の他に、非イオン性のポリオキシエチレン誘導体を含むことができる。ポリオキシエチレン誘導体としては、常温常圧下で液体の化合物が好ましい。前記ポリオキシエチレン誘導体は、非水系インクに再溶解性を付与することができる。
【００５５】
前記のポリオキシエチレン誘導体としては、例えば、ポリオキシエチレンアルキルエーテル、例えば、ポリオキシエチレンセチルエーテル（例えば、ニッサンノニオンＰ−２０８；日本油脂株式会社）、ポリオキシエチレンオレイルエーテル（例えば、ニッサンノニオンＥ−２０２Ｓ，Ｅ−２０５Ｓ；日本油脂株式会社）、又はポリオキシエチレンラウリルエーテル（例えば、エマルゲン１０６，１０８；花王株式会社）、ポリオキシエチレンアルキルフェノールエーテル、例えば、ポリオキシエチレンオクチルフェノールエーテル（例えば、ニッサンノニオンＨＳ−２０４．５，ＨＳ−２０６，ＨＳ−２０８；日本油脂株式会社）、ソルビタンモノエステル、例えば、ソルビタンモノカプリレート（例えば、ニッサンノニオンＣＰ−０８Ｒ；日本油脂株式会社）、又はソルビタンモノラウレート（例えば、ニッサンノニオンＬＰ−２０Ｒ；日本油脂株式会社）、ポリオキシエチレンソルビタンモノエステル、例えば、ポリオキシエチレンソルビタンモノステアレート（例えば、ニッサンノニオンＯＴ−２２１；日本油脂株式会社）、ポリカルボン酸系高分子活性剤（フローレンＧ−７００；共栄社化学株式会社）、ポリオキシエチレン高級アルコールエーテル（例えば、エマルゲン７０７，７０９；花王株式会社）、テトラグリセンリンオレート（例えば、ポエムＪ−４５８１；理研ビタミン株式会社）、ノニルフェノールエトキシレート（例えば、アデカトールＮＰ−６２０，ＮＰ−６５０，ＮＰ−６６０，ＮＰ−６７５，ＮＰ−６８３，ＮＰ−６８６；旭電化工業株式会社）、脂肪族リン酸エステル（例えば、アデカコールＣＳ−１４１Ｅ，ＴＳ−２３０Ｅ；旭電化工業株式会社）、ソルビタンセスキオレート（例えば、ソルゲン３０；第一工業製薬株式会社）、ソルビタンモノオレート（例えば、ソルゲン４０；第一工業製薬株式会社）、ポリエチレングリコールソルビタンモノラウレート（例えば、ソルゲンＴＷ−２０；第一工業製薬株式会社）、ポリエチレングリコールソルビタンモノオレート（例えば、ソルゲンＴＷ−８０；第一工業製薬株式会社）を挙げることができる。更には、前記のポリオキシエチレン誘導体としてアセチレングリコール系界面活性剤を用いることができる。アセチレングリコール系界面活性剤の好ましい具体例としては、一般式（IV）：
【００５６】
【化１】
2005290216.tif 000002
〔式中、０≦ｐ＋ｑ≦５０であり、Ｒ41、Ｒ42、Ｒ43、及びＲ44はそれぞれ独立してアルキル基、好ましくは炭素数１〜６のアルキル基である〕で表わされる化合物を挙げることができる。
【００５７】
前記一般式（IV）で表される化合物の中で、特に好ましくは２，４，７，９−テトラメチル−５−デシン−４，７−ジオール、３，６−ジメチル−４−オクチン−３，６−ジオール、３，５−ジメチル−１−ヘキシン−３オールなどを挙げることができる。前記一般式（IV）で表されるアセチレングリコール系界面活性剤として市販品を利用することも可能であり、その具体例としてはサーフイノール１０４、８２、４６５、４８５、又はＴＧ（いずれもＡｉｒ  Ｐｒｏｄｕｃｔｓ  ａｎｄ  Ｃｈｅｍｉｃａｌｓ．Ｉｎｃ．より入手可能）、オルフインＳＴＧ、オルフインＥ１０１０（いずれも日信化学社製の商品名）を挙げることができる。
【００５８】
また、前記のポリオキシエチレン誘導体として、その他の市販品を利用することも可能であり、その具体例としては、ニッサンノニオンＡ−１０Ｒ，Ａ−１３Ｒ（日本油脂株式会社）、フローレンＴＧ−７４０Ｗ，Ｄ−９０（共栄社化学株式会社）、エマルゲンＡ−９０，Ａ−６０（花王株式会社）、又はノイゲンＣＸ−１００（第一工業製薬株式会社）を挙げることができる。
【００５９】
前記ポリオキシエチレン誘導体の含有量は、付与すべき再溶解性によって適宜選択することができるが、非水系インク中の顔料の含有量に対して、好ましくは５〜２００重量％、より好ましくは３０〜１２０重量％である。
【００６０】
非水系インクは、分散剤を含むことができる。分散剤としては、通常の油性インク組成物、特には、インクジェット記録用油性インク組成物等の非水系のインク組成物において用いられている任意の分散剤を用いることができ、特には、有機溶剤の溶解度パラメーターが８〜１１のときに、有効に作用する分散剤を用いるのが好ましい。
【００６１】
こうした分散剤としては、市販品を利用することも可能であり、その具体例としては、ポリエステル系高分子化合物（ヒノアクトＫＦ１−Ｍ，Ｔ−６０００，Ｔ−７０００，Ｔ−８０００，Ｔ−８３５０Ｐ，Ｔ−８０００Ｅ；武生ファインケミカル株式会社製）、ｓｏｌｓｐｅｒｓｅ２００００，２４０００，３２０００，３２５００，３３５００，３４０００，３５２００（アビシア株式会社）、ｄｉｓｐｅｒｂｙｋ−１６１，１６２，１６３，１６４，１６６，１８０，１９０，１９１，１９２（ビック・ケミー社）、フローレンＤＯＰＡ−１７，２２，３３，Ｇ−７００（共栄社化学株式会社）、アジスパーＰＢ８２１，ＰＢ７１１（味の素株式会社）、ＬＰ４０１０，ＬＰ４０５０，ＬＰ４０５５，ＰＯＬＹＭＥＲ４００，４０１，４０２，４０３，４５０，４５１，４５３（ＥＦＫＡケミカルズ社）を挙げることができる。
【００６２】
また、分散剤として、上記に例示した以外の分散剤、例えばアクリル酸共重合体等を用いることもできる。
【００６３】
前記分散剤の含有量は、分散すべき顔料によって適宜選択することができるが、非水系インク中の顔料の含有量に対して、好ましくは３０〜２００重量％である。分散剤の含有量が３０重量％未満では、インクを高温長期保存すると顔料粒径が大きくなる場合がある。また、分散剤の含有量が２００重量％を超えると、インクジェット吐出曲がりが発生し易くなる。
【００６４】
非水系インクは、前記の顔料及び有機溶媒の他に、通常の油性インク組成物等の非水系のインク組成物に含まれているその他の添加剤を含むことができる。こうした添加剤としては、例えば、安定剤（例えば、酸化防止剤、又は紫外線吸収剤）、界面活性剤、及び／又はバインダー樹脂を挙げることができる。酸化防止剤としては、例えば、ＢＨＡ（２，３−ブチル−４−オキシアニソール）又はＢＨＴ（２，６−ジ−ｔ−ブチル−ｐ−クレゾール）を用いることができ、紫外線吸収剤としては、例えば、ベンゾフェノン系化合物、又はベンゾトリアゾール系化合物を用いることができる。また、界面活性剤としては、アニオン系、カチオン系、両性、又は非イオン系のいずれの界面活性剤も用いることができる。更に、バインダー樹脂によって非水系インクの粘度を調整することができる。非水系インクの粘度（温度２０℃における粘度）は、例えば、１０ｍＰａ・ｓ、より好ましくは５ｍＰａ・ｓである。バインダー樹脂としては、例えば、アクリル樹脂、スチレンアクリル樹脂、ロジン変性樹脂、フェノール樹脂、テルペン系樹脂、ポリエステル樹脂、ポリアミド樹脂、エポキシ樹脂、塩化ビニル酢酸ビニル共重合体、繊維素系樹脂（例えば、セルロースアセテートブチレート）、又はビニルトルエン−α−メチルスチレン共重合体を用いることができる。なお、バインダー樹脂は、その添加量により、メディアへの顔料の定着性を更に良好にすることもできる。
【００６５】
非水系インクは、公知の慣用方法によって調製することができる。例えば、最初に、顔料、分散剤、及び前記アルキレングリコール化合物（一部分）を混合した後、ボールミル、ビーズミル、超音波、又はジェットミル等で顔料分散液を調製し、所望のインク特性を有するように調整する。続いて、バインダー樹脂、前記アルキレングリコール化合物（残量）、及びその他の添加剤（例えば、分散助剤や粘度調整剤）を撹拌下に加えて非水系インクを得ることができる。
【００６６】
非水系インクの物性は特に限定されるものではないが、例えば、その表面張力は好ましくは２０〜５０ｍＮ／ｍである。表面張力が２０ｍＮ／ｍ未満になると、インクがインクジェット記録用プリンタヘッドの表面に濡れ広がるか、又は滲み出してしまい、インク滴の吐出が困難になることがあり、表面張力が５０ｍＮ／ｍを越えると、メディアの表面において濡れ広がらず、良好な印刷ができないことがある。
【００６７】
本発明の非水系インクセットにおける凝集促進液は、前述した非水系インクと使用された際に、該非水系インク中の顔料のメディア上での凝集を促進させて、記録画像の滲みを抑制するためのものである。凝集促進液は、少なくとも水を含むものであり、水は、凝集促進剤中に３０重量％以上、特に５０重量％以上含まれることが好ましい。
【００６８】
凝集促進液は、水と共に、更に多価アルコールを含むことが好ましい。凝集促進液が多価アルコールを含むことにより、吐出目詰まり防止という効果がある。
【００６９】
そのような多価アルコールとしては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオジグリコール、ヘキシレングリコール、グリセリン、トリメチロールエタン、トリメチロールプロパン等が挙げられる。
【００７０】
多価アルコールは、凝集促進液中に、好ましくは２０〜５０重量％含有される。多価アルコールの含有量が２０重量％以上であれば、凝集促進液を安定して吐出することができ、５０重量％以下であれば、非水系インク中の色材としての顔料を実用的なスピードで凝集させることができる。
【００７１】
凝集促進液は、水と共に、更に界面活性剤を含むことが好ましい。凝集促進液が界面活性剤を含むことにより、凝集促進液の吐出が安定的に行われると共に、非水系インクと合わされた際に、メディアへのインクの濡れ性を高めて浸透性を高めることができる。
【００７２】
そのような界面活性剤としては、特にインクの浸透性向上の観点から、アセチレングリコール類及び／又はポリシロキサン類が好ましく用いられる。
【００７３】
アセチレングリコール類としては、例えば、下記一般式（１）で表わされるアセチレングリコール系化合物が好ましく挙げられる。
【００７４】
【化２】
2005290216.tif 000003
【００７５】
（式中、０≦ｍ＋ｎ≦５０、Ｒ1〜Ｒ4は、それぞれ独立に、炭素数１〜６のアルキル基を表わす。）
【００７６】
上記一般式（１）で表されるアセチレングリコール系化合物としては、市販されているものを用いることができ、例えば、オルフィンＹ、サーフィノール８２，４４０，４６５，ＳＴＧ，Ｅ１０１０（何れも商品名、エア・プロダクツ・アンド・ケミカルズ社製）などが挙げられる。
【００７７】
ポリシロキサン類としては、例えば、下記一般式（２）で表わされるポリシロキサン系化合物が好ましく挙げられる。
【００７８】
【化３】
2005290216.tif 000004
上記一般式（２）で表されるポリシロキサン系化合物としては、市販されているものを用いることができ、例えば、ＢＹＫ３４８（ビックケミージャパン製）等を用いることができる。
【００７９】
また、界面活性剤として、カチオン性界面活性剤、アニオン性界面活性剤、ノニオン性界面活性剤等の各種界面活性剤を用いることもできる。
これらの界面活性剤は、その１種又は２種以上が用いられる。
界面活性剤は、凝集促進液中に、好ましくは０．１〜５．０重量％、更に好ましくは０．２〜１．０重量％含有される。
【００８０】
凝集促進液はまた、適正粘度に調整する為、及び安定的な吐出を確保する点から、アルカンジオール類及び／又はグリコールエーテル類等の浸透溶媒を含むことができる。
【００８１】
アルカンジオール類としては、例えば、１，２−ペンタンジオール、１，２−ヘキサンジオール等が挙げられる。
グリコールエーテル類としては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等が挙げられる。
【００８２】
これらの浸透溶媒は、その１種又は２種以上が用いられる。
【００８３】
浸透溶媒は、凝集促進液中に、好ましくは１〜２０重量％、更に好ましくは１〜１０重量％含有される。
【００８４】
凝集促進剤には、その他必要に応じて、防腐剤、キレート剤等を含むこともできる。
【００８５】
本発明の非水系インクセットが使用される対象のメディアとしては、インクジェット用に使用される全てのメディアが適用可能であり、例えば、普通紙、インクジェット専用紙等の吸収メディア、トランスペーランシー、塩ビ等の非吸収メディア等が挙げられる。
【００８６】
以上詳述したように、本発明についてその好適な実施形態に基づき説明したが、本発明は前述の実施形態に制限されず、その趣旨を逸脱しない範囲内で種々の変更が可能である。
【００８７】
本発明によれば、更に、前述したインクジェト非水系インクセットを用いたインクカートリッジ、該インクカートリッジを備えた記録装置、及び前述したインクジェット非水系インクセットを用いて記録する記録装置を提供することができ、これらによりメディア全般に対して滲みが少なく優れた画質の記録画像を形成することができる。
【００８８】
また、本発明によれば、前記記録装置により記録された記録物を提供することができ、これにより滲みが少なく優れた画質を備えた記録物を得ることができる。
【００８９】
以下に、本発明の実施例及び試験例を挙げて、本発明をより具体的に説明するが、本発明は、かかる実施例により何等制限されるものではない。
【００９０】
以下に示す各配合組成からなる油性インク及び凝集促進液（吐出液）をそれぞれ調製した。尚、組成中に示される下記成分の詳細は、それぞれ次の通りである。
【００９１】
ＤＥＧＤＥＥ：ジエチレングリコールジエチルエーテル
ＤＰＧＭＭＥ：ジプロピレングリコールモノメチルエーテル
ＴＥＧＭＭＥ：トリエチレングリコールモノメチルエーテル
ＴＥＧＭＢＥ：トリエチレングリコールモノブチルエーテル  
【００９２】
（油性インク１）                    （重量％）
Ｃ．Ｉ．ピグメントイエロー１５０・・４．０
ポリエステル樹脂・・・・・・・・・・８．０
：「solsperse 20000」（アビシア株式会社製）
ポリオキシエチレンセチルエーテル・・２．０
セルロースアセテートブチレート・・・０．２
ＤＥＧＤＥＥ・・・・・・・・・・・３０．０
ＤＰＧＭＭＥ・・・・・・・・・・・３０．０
ＴＥＧＭＭＥ・・・・・・・・・・・２５．８  
【００９３】
（油性インク２）                    （重量％）
Ｃ．Ｉ．ピグメントレッド１２２・・・３．５
ポリエステル樹脂・・・・・・・・・・３．５
：「solsperse 20000」（アビシア株式会社製）
ポリオキシエチレンセチルエーテル・・２．０
セルロースアセテートブチレート・・・０．１５
ＤＥＧＤＥＥ・・・・・・・・・・・３０．０
ＤＰＧＭＭＥ・・・・・・・・・・・３０．０
ＴＥＧＭＭＥ・・・・・・・・・・・３０．８５
【００９４】
（油性インク３）                    （重量％）
Ｃ．Ｉ．ピグメントブルー１５：４・・３．０
ポリエステル樹脂・・・・・・・・・・１．０
：「solsperse 20000」（アビシア株式会社製）
ポリオキシエチレンセチルエーテル・・２．２
セルロースアセテートブチレート・・・０．２
ＤＥＧＤＥＥ・・・・・・・・・・・３０．０
ＤＰＧＭＭＥ・・・・・・・・・・・６３．６
【００９５】
（油性インク４）                    （重量％）
カーボンブラック・・・・・・・・・・４．０
ポリエステル樹脂・・・・・・・・・・７．０
：「solsperse 20000」（アビシア株式会社製）
ポリオキシエチレンセチルエーテル・・１．８
セルロースアセテートブチレート・・・０．２５
ＤＥＧＤＥＥ・・・・・・・・・・・３０．０
ＤＰＧＭＭＥ・・・・・・・・・・・５６．９５
【００９６】
（凝集促進液１）                    （重量％）
水・・・・・・・・・・・・・・・１００．０
【００９７】
（凝集促進液２）                    （重量％）
水・・・・・・・・・・・・・・・・５０．０
グリセリン・・・・・・・・・・・・５０．０
【００９８】
（凝集促進液３）                    （重量％）
水・・・・・・・・・・・・・・・・４９．５
グリセリン・・・・・・・・・・・・４５．０
１，２−ヘキサンジオール・・・・・・５．０
サーフィノールＥ１０１０・・・・・・０．５
【００９９】
（凝集促進液４）                    （重量％）
水・・・・・・・・・・・・・・・・７９．７
ジエチレングリコール・・・・・・・１５．０
ＴＥＧＭＢＥ・・・・・・・・・・・・５．０
サーフィノールＥ１０１０・・・・・・０．３
【０１００】
（比較吐出液１）                    （重量％）
グリセリン・・・・・・・・・・・１００．０
【０１０１】
（比較吐出液２）                    （重量％）
ＤＥＧＤＥＥ・・・・・・・・・・・３０．０
ＤＰＧＭＭＥ・・・・・・・・・・・３０．０
ＴＥＧＭＭＥ・・・・・・・・・・・４０．０
【０１０２】
（実施例１、２）
調製した油性インク及び凝集促進液の中から適宜な組合せを採用することにより、次に示すインクセットを選定した。
【０１０３】
実施例１：油性インク１と凝集促進液１とを組み合わせたインクセット
実施例２：油性インク１と凝集促進液２とを組み合わせたインクセット
【０１０４】
（スポットインク凝集試験）
実施例１及び２のインクセットにおける油性インク及び凝集促進液をそれぞれ１ミリグラムずつ、同一のスライドガラスにつけた。その後、これらの油性インクと凝集促進液とをガラス上で混合した際に、油性インク中の顔料の凝集が認められるかどうかの評価を行った。比較のために、油性インク１と比較吐出液１とを組み合わせたインクセット（比較例１）を用いて同様の試験、評価を行った。
【０１０５】
試験結果
実施例１のインクセットは、瞬時に顔料が凝集した。
実施例２のインクセットは、速やかに顔料が凝集した。
比較例１のインクセットは、顔料が凝集しなかった。
この結果から、少なくとも水を含む凝集促進液を備えた本発明のインクセット（実施例１及び２）を用いれば、油性インク中の顔料を凝集させることが判る。
【０１０６】
（実施例３〜５）
調製した油性インク及び凝集促進液の中から適宜な組合せを採用することにより、次に示すインクセットを選定した。
【０１０７】
実施例３：油性インク２と凝集促進液３とを組み合わせたインクセット
実施例４：油性インク３と凝集促進液３とを組み合わせたインクセット
実施例５：油性インク４と凝集促進液３とを組み合わせたインクセット
【０１０８】
（吐出インク凝集試験１）
各インクセットにおける油性インク及び凝集促進液を、セイコーエプソン株式会社製のプリンタＭＪ８０００Ｃのインクカートリッジに充填した。このプリンタを用いて、メディア上に、まず凝集促進液を吐出し、その上に直ちに油性インクを吐出し、印刷を行った。メディアは、吸収性を有するゼロックスＰ紙及び非吸収性のダーポリンの二種を用いた。印刷後、メディア上に滲みが認められるかどうかの評価を行った。
【０１０９】
また、比較のために、下記の各インクセットを用いて同様の試験、評価を行った。
【０１１０】
比較例２：油性インク２と比較吐出液２とを組み合わせたインクセット
比較例３：油性インク３と比較吐出液２とを組み合わせたインクセット
比較例４：油性インク４と比較吐出液２とを組み合わせたインクセット  
【０１１１】
試験結果
実施例３〜５のインクセットは何れも、メディアの種類にかかわらず、滲みのない印刷が行われた。
比較例２〜４のインクセットは何れも、両メディアに滲みが発生した。
【０１１２】
（実施例６〜８）
調製した油性インク及び凝集促進液の中から適宜な組合せを採用することにより、次に示すインクセットを選定した。
【０１１３】
実施例６：油性インク２と凝集促進液４とを組み合わせたインクセット
実施例７：油性インク３と凝集促進液４とを組み合わせたインクセット
実施例８：油性インク４と凝集促進液４とを組み合わせたインクセット
【０１１４】
（吐出インク凝集試験２）
実施例６〜８のインクセットについて、前記吐出インク凝集試験１における吐出の順序を逆にした、即ち、まず油性インクを吐出し、その上に直ちに凝集促進液を吐出し、印刷を行った以外は、前記吐出インク凝集試験１と同様の試験を行い、同様の評価をした。また、比較のために、前記比較例２〜４のインクセットを用いて同様の試験、評価を行った。
【０１１５】
試験結果
実施例６〜８のインクセットは何れも、メディアの種類にかかわらず、滲みのない印刷が行われた。
比較例２〜４のインクセットは何れも、両メディアに滲みが発生した。
【０１１６】
本発明のインクセット（実施例３〜８）を用いた場合に、メディアにかかわらず、滲みが発生しないのは、油性インク中の分散顔料が、水を含んでなる凝集促進液にて急速に凝集したことによるものと考えられる。一方、比較例２〜４のインクセットを用いた場合に、滲みが生じたのは、吐出液が水を含まないため、油性インク中の分散顔料がメディア上で凝集しなかったことによるものと判断できる。
【産業上の利用可能性】
【０１１７】
本発明は、メディア全般に対して滲みが少なく優れた画質の記録画像を形成することのできるインクジェット非水系インクセット、該インクセットを用いたインクカートリッジ、メディア全般に対して滲みが少なく優れた画質の記録画像を形成することのできる記録装置、及び滲みが少なく優れた画質を備えた記録物として、産業上の利用可能性を有する。